(57)【特許請求の範囲】
【請求項１】
対をなす壁体の内面間に収納空間を有し前記両壁体の縁部間に前記収納空間を外部に開放するための開口部が形成されたケース本体と、このケース本体の前記開口部を開き状態又は閉じ状態にするための線ファスナとを具備してなり、
前記ケース本体が、前記対をなす壁体と、これら壁体の縁部間に張設され開き状態の前記開口部の一部を塞いで前記収納空間に収納された棒状小物類が外部に落下するのを抑止する落下防止用のマチと、このマチの内面側に設けられ前記マチが緊張しても弛緩状態を維持し得る寸法のポケット形成用シートとを備えたものであり、
前記線ファスナが、前記マチの外側に位置させて前記壁体の縁部に設けられたものである棒状小物類収納ケース。
【請求項２】
前記ケース本体が、前縁部間及び上縁部間に前記開口部を形成する前記対をなす壁体と、これら壁体における前縁部の下側部分間に張設された前記落下防止用のマチと、このマチの内面側に配された前記ポケット形成用シートとを備えたものである請求項１記載の棒状小物類収納ケース。
【請求項３】
前記ケース本体が、対をなす前記壁体の後縁部同士を背壁体により接続してなる周壁を有したものであり、この周壁を構成する芯材の弾性反発力により前記両壁体が開く方向に弾性付勢されている請求項２記載の棒状小物類収納ケース。
【請求項４】
前記周壁が、前記開き状態において自立できる程度の剛性を有した下半領域と、この下半領域の上縁に連続させて設けられた柔軟性を有する上半領域とを備え、前記上半領域を前記下半領域の外面側に折り返すことができるように構成されたものであり、
前記落下防止用のマチ及び前記ポケット形成用シートが、前記下半領域に配されたものである請求項３記載の棒状小物類収納ケース。
【請求項５】
前記周壁が、前記下半領域に前記芯材を内設したものであり、その芯材が、前記開き状態において前記落下防止用のマチを緊張させ得る程度の弾性反発力を発揮し得るものである請求項４記載の棒状小物類収納ケース。
【請求項６】
前記ケース本体が、前記対をなす壁体の下縁部間に底マチを有したものであり、
前記落下防止用のマチが、下縁を前記底マチの前縁に連続させたものであり、
前記ポケット形成用シートが、上縁及び下縁を自由端としたものである請求項２、３、４又は５記載の棒状小物類収納ケース。
【請求項７】
前記ポケット形成用シートの上縁を前記落下防止用のマチの上縁よりも上に位置させている請求項１、２、３、４、５又は６記載の棒状小物類収納ケース。
【発明の詳細な説明】
【技術分野】
【０００１】
本発明は、筆記具等の棒状小物類を収納するための棒状小物類収納ケースに関する。
【背景技術】
【０００２】
従来、この種の棒状小物類収納ケースとして、対をなす壁体の内面間に収納空間を有し前記両壁体の縁部間に前記収納空間を外部に開放するための開口部が形成されたケース本体と、このケース本体の前記開口部を開き状態又は閉じ状態にするための線ファスナとを具備してなり、前記ケース本体が、前記対をなす壁体と、これら壁体の縁部間に張設され開き状態の前記開口部の一部を塞いで前記収納空間に収納された棒状小物類が外部に落下するのを抑止する落下防止用のマチとを備えた筆記具ケースが知られている（例えば、特許文献１を参照）。
【０００３】
ところで、この筆記具ケースにおいては、従来、落下防止用のマチの前面側に、ポケット形成用シートが添接されており、このポケット形成用シートと前記落下防止用のマチとの間に形成されたポケットに消しゴム等の小物類を収納可能にしている。ところが、このような構成のものでは、小物類及び前記ポケット形成用のシートが前記マチよりも前方に突出することになる。そのため、前記線ファスナのスライダを上から下へスライドさせて前記開口部を閉じる際に前記スライダが前方に突出した小物類やポケット形成用のシートに干渉して円滑な操作が阻害されることがある。
【先行技術文献】
【特許文献】
【０００４】
【特許文献１】特許第４６１７５９７号公報
【発明の概要】
【発明が解決しようとする課題】
【０００５】
本発明は、以上のような事情に着目してなされたもので、開口部を閉じる際に円滑な操作を行うことができる構成の棒状小物類収納ケースを提供することにある。
【課題を解決するための手段】
【０００６】
すなわち、本発明は次の構成をなしている。
【０００７】
請求項１に記載の棒状小物類収納ケースは、対をなす壁体の内面間に収納空間を有し前記両壁体の縁部間に前記収納空間を外部に開放するための開口部が形成されたケース本体と、このケース本体の前記開口部を開き状態又は閉じ状態にするための線ファスナとを具備してなり、前記ケース本体が、前記対をなす壁体と、これら壁体の縁部間に張設され開き状態の前記開口部の一部を塞いで前記収納空間に収納された棒状小物類が外部に落下するのを抑止する落下防止用のマチと、このマチの内面側に設けられ前記マチが緊張しても弛緩状態を維持し得る寸法のポケット形成用シートとを備えたものであり、前記線ファスナが、前記マチの外側に位置させて前記壁体の縁部に設けられたものであるである。
【０００８】
請求項２に記載の棒状小物類収納ケースは、請求項１に係る構成において、前記ケース本体が、前縁部間及び上縁部間に前記開口部を形成する前記対をなす壁体と、これら壁体における前縁部の下側部分間に張設された前記落下防止用のマチと、このマチの内面側に配された前記ポケット形成用シートとを備えたものである。
【０００９】
請求項３に記載の棒状小物類収納ケースは、請求項２に係る構成において、前記ケース本体が、対をなす前記壁体の後縁部同士を背壁体により接続してなる周壁を有したものであり、この周壁を構成する芯材の弾性反発力により前記両壁体が開く方向に弾性付勢されているものである。
【００１０】
請求項４に記載の棒状小物類収納ケースは、請求項３に係る構成において、前記周壁が、前記開き状態において自立できる程度の剛性を有した下半領域と、この下半領域の上縁に連続させて設けられた柔軟性を有する上半領域とを備え、前記上半領域を前記下半領域の外面側に折り返すことができるように構成されたものであり、前記落下防止用のマチ及び前記ポケット形成用シートが、前記下半領域に配されたものである。
【００１１】
請求項５に記載の棒状小物類収納ケースは、請求項４に係る構成において、前記周壁が、前記下半領域に前記芯材を内設したものであり、その芯材が、前記開き状態において前記落下防止用のマチを緊張させ得る程度の弾性反発力を発揮し得るものである。
【００１２】
請求項６に記載の棒状小物類収納ケースは、請求項２、３、４又は５に係る構成において、前記ケース本体が、前記対をなす壁体の下縁部間に底マチを有したものであり、前記落下防止用のマチが、下縁を前記底マチの前縁に連続させたものであり、前記ポケット形成用シートが、上縁及び下縁を自由端としたものである。
【００１３】
請求項７に記載の棒状小物類収納ケースは、請求項１、２、３、４、５又は６に係る構成において、前記ポケット形成用シートの上縁を前記落下防止用のマチの上縁よりも上に位置させているものである。
【発明の効果】
【００１４】
本発明によれば、開口部を閉じる際に円滑な操作を行うことができる構成の棒状小物類収納ケースを提供することができる。
【図面の簡単な説明】
【００１５】
【図１】本発明の一実施形態における棒状小物類収納ケースの開き状態を示す斜視図。
【図２】同実施形態における棒状小物類収納ケースの開き状態を示す正面図。
【図３】同実施形態における棒状小物類収納ケースの閉じ状態を示す正面図。
【図４】同実施形態における棒状小物類収納ケースの閉じ状態を示す側面図。
【図５】同実施形態における棒状小物類収納ケースの閉じ状態を示す底面図。
【図６】同実施形態における棒状小物類収納ケースの閉じ状態を示す平面図。
【図７】同実施形態における棒状小物類収納ケースの動作を説明するための図。
【図８】図７における要部を拡大して示す図。
【図９】同実施形態における棒状小物類収納ケースの動作を説明するための図。
【図１０】同実施形態における棒状小物類収納ケースの他の使用態様を示す側面図。
【図１１】図１０におけるＸ矢視図。
【発明を実施するための形態】
【００１６】
以下、本発明の一実施形態を、図１〜図１１を参照して説明する。
【００１７】
本実施形態は、本発明を、主に筆記具を収納するための棒状小物類収納ケース（以下、収納ケースＡと称する）に適用したものである。
【００１８】
この収納ケースＡは、図１〜図６に示すように、対をなす壁体３１の内面間に収納空間Ｓを有し前記両壁体３１の縁部間、より具体的には前縁部３１ａ間及び上縁部３１ｂ間に前記収納空間Ｓを外部に開放するための開口部１ｓが形成されたケース本体１と、このケース本体１の前記開口部１ｓを図１、図２及び図７に示すような開き状態（Ｏ）又は図３〜図６及び図９に示すような閉じ状態（Ｃ）にするための線ファスナ２とを具備してなる。
【００１９】
前記ケース本体１は、図１〜図６に示すように、前記対をなす壁体３１、及び前記対をなす壁体３１の後縁部３１ｃ同士を接続する背壁体３２を有する周壁３と、前記対をなす壁体３１の縁部間、より詳細には前縁部３１ａ間に張設され開き状態（Ｏ）の前記開口部１ｓの一部を塞いで前記収納空間Ｓに収納されたペンＰ等の棒状小物類が外部に落下するのを抑止する落下防止用のマチ４と、前記対をなす壁体３１の下縁部３１ｄ間に配された底マチ５と、前記落下防止用のマチ４の内面側に設けられ前記落下防止用のマチ４が緊張しても弛緩状態を維持し得る寸法のポケット形成用シート６とを備えたものである。
【００２０】
前記周壁３は、前記開き状態（Ｏ）において自立できる程度の剛性を有した下半領域３ｂと、この下半領域３ｂの上縁に連続させて設けられた柔軟性を有する上半領域３ａとを備えている。前記上半領域３ａは、図１０及び図１１に示すように、折り返し縁の位置で前記下半領域３ｂの外面側に折り返すことができるように構成されている。さらに詳述すると、この周壁３の下半領域３ｂは、外方に表出する合成繊維素材を主体とした布製の外装材３３と、ペンＰ等の収容物に直接接し得る合成繊維素材を主体とした布製の内装材３４と、これら外装材３３と内装材３４との間に配されるスポンジシート状の発泡部材３５と、前記外装材３３と発泡部材３５との間に配されポリプロピレン製の板状をなす芯材３６とを備えており、その上で、前記外装材３３、内装材３４、発泡部材３５及び芯材３６の周縁部を縫い合わせている。本実施形態では、前記外装材３３の側縁部を内方に折り返して芯材３６の側縁部を包持するようにしている。また、前記内装材３４の側縁部を外方に折り返して発泡部材３５の側縁部を包持するようにしている。すなわち、前記下半領域３ｂには前記芯材３６が内設されており、この芯材３６の弾性反発力により前記両壁体３１が開く方向に弾性付勢されている。前記弾性反発力は、前記開き状態（Ｏ）において前記落下防止用のマチ４を緊張させ得る程度のものである。一方、前記周壁３の上半領域３ａは、図示は省略するが、外方に表出する合成繊維素材を主体とした布製の外装材３３と、収容物に直接接し得る合成繊維素材を主体とした布製の内装材３４と、これら外装材３３と内装材３４との間に配されるスポンジシート状の発泡部材３５とを備えており。その上で、前記外装材３３、内装材３４及び発泡部材３５の周縁部を縫い合わせている。
【００２１】
前記落下防止用のマチ４は、前記壁体３１における前縁部３１ａの下側部分間に張設されたものである。換言すれば、この落下防止用のマチ４は、前記周壁３の下半領域３ｂに配されたものである。また、前記落下防止用のマチ４の両側縁部４ａの内方には補強テープＴが配されており、これら落下防止用のマチ４及び補強テープＴは、図７及び図８に示すように、前記外装材３３、内装材３４、発泡部材３５及び芯材３６に縫い合わされている。そして、この落下防止用のマチ４は、その下縁４ｂが前記底マチ５の前縁５ａに連続している。
【００２２】
前記底マチ５は、前記収納空間Ｓの底面を形成するものであり、両側縁５ｂ及び後縁５ｃを前記周壁３の下縁、すなわち前記対をなす壁体３１の下縁部３１ｄ及び背壁体３２の下縁部３２ｄに接続している。
【００２３】
前記ポケット形成用シート６は、前記対をなす壁体３１の前縁部３１ａに両側縁部６ａを接続しており、このポケット形成用シート６の前面６ｘと前記落下防止用のマチ４の後面４ｘとの間に消しゴム等の小物類を収納可能なポケットＰＰを形成している。また、このポケット形成用シート６は、その上縁６ｂ及び図示しない下縁を自由端としており、図７及び図８に示すように、両側縁部が前記外装材３３、内装材３４、発泡部材３５及び芯材３６に縫い合わされている。このポケット形成用シート６の上縁６ｂは、前記落下防止用のマチ４の上縁４ｃよりも上に位置させてある。そして、このポケット形成用シート６は、前述したように、前記落下防止用のマチ４が緊張しても弛緩状態を維持し得る寸法を有する。
【００２４】
前記線ファスナ２は、前記落下防止用のマチ４の外側に位置させて前記壁体３１の縁部に設けられたものである。より具体的には、この線ファスナ２は、壁体３１の前縁部３１ａ並びに上縁部３１ｂの全域に亘って配されている。この線ファスナ２は、壁体３１に基端側が直接縫合されているテープ２ａと、このテープ２ａの先端側に設けられ互いに接離し得る務歯２ｂと、スライド動作によりこれら務歯２ｂの接離を操作するための第１のスライダ２ｃ並びに第２のスライダ２ｄとを有するものである。本実施形態ではテープ２ａ及び務歯２ｂの下端を壁体３１側に折り込むように縫合することにより第１並びに第２のスライダ２ｃ、２ｄの下側の動作端としている。一方、テープ２ａ及び務歯２ｂの上端は、帯状のファスナエンド２ｅの一端部に縫合し、第１並びに第２のスライダ２ｃ、２ｄの上側の動作端としている。前記ファスナエンド２ｅの他端部にはホックの雌部材２ｆを設けており、この雌部材２ｆを前記背壁体３２に設けた図示しないホックの雄部材と係り合わせるようにしている。勿論、当該第１並びに第２のスライダ２ｃ、２ｄの動作を規制するためのストッパ等の別異の部材を務歯２ｂの両端に固定しても良い。なお当該線ファスナ２の構成は本実施形態の他、既存の適宜のものを使用し得るために詳細な説明を省略する。また、本実施形態では、この線ファスナ２の基端部は、図８に示すように、前記外装材３３及び内装材３４の折り返された部分の間に配されており、前記補強テープＴ、前記落下防止用のマチ４、前記ポケット形成用シート６、前記外装材３３、前記内装材３４、発泡部材３５及び芯材３６とともに縫い合わされている。なお、図５において、この線ファスナ２の上端部及び前記ファスナエンド２ｅは省略して示している。
【００２５】
しかして、本実施形態に係る収納ケースＡでは、前記開口部１ｓを開き状態（Ｏ）から閉じ状態（Ｃ）にすると、落下防止用のマチ４は、図９に示すように収納空間Ｓの内側に向けて折り畳まれる可能性が高い。このとき、ポケット形成用シート６は、前記落下防止用のマチ４の内面側すなわち後方に設けられており、前記落下防止用のマチ４よりも長い寸法を有するので、前記落下防止用のマチ４と前記内装材３４との間に配された状態を保ちつつ、図９に示すように収納空間Ｓの内側に向けて折り畳まれる。
【００２６】
従って、本実施形態に係る収納ケースＡの構成によれば、前記ポケット形成用のシート６及び前記ポケットＰＰ内に収納されるペンＰ等の収納物が前記落下防止用のマチ４よりも後方に配されているので、前記線ファスナ２のスライダ２ｃ、２ｄをスライドさせて前記開口部１ｓを閉じる際に、ポケットＰＰ内の収納物やポケット形成用のシート６が前記線ファスナ２よりも前方に移動することにより前記スライダ２ｃ、２ｄと干渉する可能性が低く、開口部１ｓを閉じる際に円滑な操作を行うことができる。
【００２７】
また、周壁３を構成する芯材３６の弾性反発力により両壁体３１が開く方向に弾性付勢されているので、前記開口部１ｓを開き状態（Ｏ）とした状態で収納ケースＡを自立させておくようにすることができる。
【００２８】
さらに、前記上半領域３ａを前前記下半領域３ｂの外面側に折り返すことにより、収納空間Ｓ内部のペンＰ等の視認性を高めることもできる。
【００２９】
加えて、前記周壁３が、前記下半領域３ｂに前記芯材３６を内設したものであり、その芯材３６が、前記開き状態（Ｏ）において前記落下防止用のマチ４を緊張させ得る程度の弾性反発力を発揮し得るので、収納空間Ｓ内の物品が前記落下防止用のマチ４を越えて落下することを有効に防止ないし抑制することができる。
【００３０】
落下防止用のマチ４の下縁４ｂを前記底マチ５の前縁５ａに連続させることにより部品点数や組み立て工数の削減を図りつつ、前記ポケット形成用シート６の上縁６ｂ及び下縁を自由端としているので、前記開口部１ｓを開き状態（Ｏ）から閉じ状態（Ｃ）とする際に落下防止用のマチ４及びポケット形成用シート６が互いに干渉することなく円滑に折り畳まれる。
【００３１】
そして、前記ポケット形成用シート６の上縁６ｂを前記落下防止用のマチ４の上縁４ｃよりも上に位置させているので、ポケットＰＰ内部の物品がポケット形成用シート６を越えて収納空間Ｓ内に混入する不具合の発生を抑制することができる。
【００３２】
なお、本発明は、以上に詳述した実施形態に限られるものではない。
【００３３】
例えば、上述した実施形態では、収納空間への棒状小物類の出し入れの便を図るべく、ケース本体を、前縁部間及び上縁部間に開口部を形成する前記対をなす壁体と、これら壁体における前縁部の下側部分間に張設された前記落下防止用のマチと、このマチの内面側に配された前記ポケット形成用シートとを備えるものとしているが、例えば、壁体の前縁部間のみに開口部が形成される構成の棒状小物類収納ケースに本発明を適用してももちろんよい。
【００３４】
また、上述した実施形態では、前述したように、開口部を開き状態とした状態で収納ケースを自立させておくことができるようにすべく、周壁を構成する芯材の弾性反発力により両壁体が開く方向に弾性付勢されるようにしているが、芯材とは別個に設けた弾性付与部材や外装材又は内装材自体の弾性反発力を利用して両壁体を開く方向に弾性付勢する構成を採用してもよい。
【００３５】
さらに、上述した実施形態では、収納空間内部のペン等の視認性を高めるべく、開き状態において自立できる程度の剛性を有した下半領域と、この下半領域の上縁に連続させて設けられた柔軟性を有する上半領域とを備え、前記上半領域を前記下半領域の外面側に折り返すことができるように構成しているが、上半領域を下半領域の外面側に折り返すことが不可能な棒状小物類収納ケースに本発明を適用してももちろんよい。
【００３６】
加えて、上述した実施形態では、ケース本体が、対をなす壁体の下縁部間に底マチを有し、落下防止用のマチの下縁が前記底マチの前縁に連続し、前記ポケット形成用シートの上縁及び下縁が自由端であるが、落下防止用のマチと底マチとを別個の部材により形成した棒状小物類収納ケースや、ポケット形成用シートの下縁を底マチに固定した棒状小物類収納ケース等に、本発明の主な構成、すなわちポケット形成用シートを落下防止用のマチの内面側に設け前記落下防止用のマチが緊張してもポケット形成用シートが弛緩状態を維持し得る構成を採用してももちろんよい。
【００３７】
そして、上述した実施形態では、ポケット内部の物品がポケット形成用シートを越えて収納空間内に混入する不具合の発生を抑制すべく、前記ポケット形成用シートの上縁を前記落下防止用のマチの上縁よりも上に位置させているが、もちろん前記ポケット形成用シートの上縁の高さ位置を前記落下防止用のマチの上縁と同じ、またはより下方に設定した棒状小物類収納ケースに、本発明の主な構成、すなわちポケット形成用シートを落下防止用のマチの内面側に設け前記落下防止用のマチが緊張してもポケット形成用シートが弛緩状態を維持し得る構成を採用してももちろんよい。
【００３８】
その他、各部の具体的構成についても上記実施形態に限られるものではなく、本発明の趣旨を逸脱しない範囲で種々変形が可能である。すなわち、開口部を閉じる際に円滑な操作を行うことができるようにすべく、本発明の最も主要な構成である、ポケット形成用シートを落下防止用のマチの内面側に設け前記落下防止用のマチが緊張してもポケット形成用シートが弛緩状態を維持し得る構成を採用したものであれば、その他の部位についてはどのような構成を採用してももちろんよい。
【符号の説明】
【００３９】
Ａ…棒状小物類収納ケース
Ｓ…収納空間
１…ケース本体
１ｓ…開口部
２…線ファスナ
３…周壁
３１…壁体
３１ａ…壁体の（前）縁部
３１ｂ…壁体の（上）縁部
４…落下防止用のマチ
６…ポケット形成用のシート
【図１】
0006358273.tif 000002
【図２】
0006358273.tif 000003
【図３】
0006358273.tif 000004
【図４】
0006358273.tif 000005
【図５】
0006358273.tif 000006
【図６】
0006358273.tif 000007
【図７】
0006358273.tif 000008
【図８】
0006358273.tif 000009
【図９】
0006358273.tif 000010
【図１０】
0006358273.tif 000011
【図１１】
0006358273.tif 000012